(57)【特許請求の範囲】
【請求項１】
倉庫本体フレーム間に延設されるビル型ラック用上継ぎによってラック間が連結固定されたビル型ラックと、ビル型ラック間に並設され、ラック間がユニット型ラック用上継ぎによって連結されたユニット型ラックからなる自動倉庫において、ビル型ラックを、ラック列の偶数列または奇数列に配設して、ビル型ラック用上継ぎで連結固定し、ユニット型ラックを、ビル型ラックが配設されない奇数列または偶数列に配設し、ユニット型ラック用上継ぎで連結し、ビル型ラックとユニット型ラックを交互に配列したことを特徴とする自動倉庫。
【請求項２】
倉庫本体フレーム間に延設されるビル型ラック用上継ぎによってラック間が連結固定されたビル型ラックと、ビル型ラック間に並設され、ラック間がユニット型ラック用上継ぎによって連結されたユニット型ラックからなる自動倉庫において、ユニット型ラックをビル型ラックに対して、ビル型ラック用上継ぎの幅分だけ連方向に変位して設け、ビル型ラックおよびユニット型ラックをそれぞれ上継ぎにより連結したことを特徴とする自動倉庫。
【発明の詳細な説明】
【０００１】
【従来の技術】
従来自動倉庫の積層棚として、倉庫本体部とラックを上継ぎによって連結固定するビル型ラックと、ビル型ラック間に並設されラック間を上継ぎによって連結するユニット型ラックからなる棚構造のものが公知である。
【０００２】
この型式の棚構造について図７を用いて説明する。図７はユニット型ラックの連方向の拡大側面図で、２はユニット型ラック、３はパレット受け、４はビル型ラック用上継ぎ、５はユニット型ラック用上継ぎである。図に示すように、ビル型ラック用上継ぎ４は、ビル型ラックに対して交互に配設されるユニット型ラック２を跨いで設けられ、ユニット型ラック２の上継ぎ５の上面に設けられる。そのため、ビル型ラック用上継ぎ４はユニット型ラック用上継ぎ５の高さ分だけ余分に高い位置に設けなくてはならず、その高さ分だけ倉庫の建屋も高くなり、倉庫の部材面からも、また日影規制等における建屋の高さ規制の面からも改善が求められてきており、また上継ぎ下面にはクレーン走行ガイドレール（図示せず）を配設しており、上継ぎの高さが異ると、クレーンもそれぞれの高さに対応するものが必要であった。
【０００３】
【発明が解決しようとする課題】
上記した通り、従来のビル型ラックとユニット型ラックが並設されている積層棚においては、ビル型ラック用上継ぎは、ユニット型ラックの上継ぎ上を跨いで延設されて、ビル型ラックを連結する構造となっているため、ユニット型ラックの上継ぎ分の高さだけビル型ラック上継ぎを余分に高い位置に設置しなくてはならず、ビル型ラック用のスタッカークレーンもその高さ分だけ余分に高くすることが必要となり、倉庫の建屋も高くなり、また両上継ぎ下面にはクレーン走行ガイドレール（図示せず）を配設しており、上継ぎの高さが異なると、設置するクレーンも異る仕様のものが必要であるという課題を有していた。
【０００４】
【課題を解決するための手段】
本発明は上記した課題を解決するもので、ビル型ラック用上継ぎを、偶数列または奇数列に配設して、ビル型ラックを連結固定し、ユニット型ラック用上継ぎを、ビル型ラック用上継ぎが配設されない奇数列または偶数列のラックに設け、ユニット型ラックを連結したことを特徴とするものである。
【０００５】
本発明によれば、ビル型ラック用上継ぎが配設される列には、ユニット型ラックの上継ぎが設けられていないため、ビル型ラック用上継ぎはユニット型ラック用上継ぎと同じ高さに設けることができ、倉庫の建屋を従来より低くすることができるとともに、クレーンも一機種のもので対応することができる。
【０００６】
【発明の実施の形態】
本発明の請求項１に記載の発明は、倉庫本体フレーム間に延設されるビル型ラック用上継ぎによってラック間が連結固定されたビル型ラックと、ビル型ラック間に並設され、ラック間がユニット型ラック用上継ぎによって連結されたユニット型ラックからなる自動倉庫において、ビル型ラックを、ラック列の偶数列または奇数列に配設して、ビル型ラック用上継ぎで連結固定し、ユニット型ラックを、ビル型ラックが配設されない奇数列または偶数列に配設し、ユニット型上継ぎで連結したことを特徴とするもので、従来のラック構造に比して、ユニット型ラックの上継ぎの高さ分だけ全体の高さを低くすることができ、倉庫の建屋もその分低くすることができるとともに、各ラック列に装備されるクレーンも、ビル型ラックとユニット型ラックの上継ぎが同じ高さであるため、同じ仕様のクレーンを用いることができ、設備上でも改善された作用を有する。
【０００７】
請求項２に記載の発明は、倉庫本体フレーム間に延設されるビル型ラック用上継ぎによってラック間が連結固定されたビル型ラックと、ビル型ラック間に並設され、ラック間がユニット型ラック用上継ぎによって連結されたユニット型ラックからなる自動倉庫において、ユニット型ラックをビル型ラックに対して、ビル型ラック用上継ぎの幅分だけ連方向に変位して設け、ビル型ラックおよびユニット型ラックをそれぞれ上継ぎにより連結したことを特徴とするもので、請求項１記載の発明が有する作用に加えて、各列に上継ぎを配設することができるため、ラックの連結強度を向上することができる作用を有する。
【０００８】
請求項３に記載の発明は、請求項２記載の自動倉庫において、ビル型ラック用上継ぎを、偶数列または奇数列に配設したことを特徴とするもので、請求項１記載の発明と同じ作用を有する。
【０００９】
以下、本発明の実施の形態について図面に基づき説明する。
（実施の形態１）
図１〜図３は本発明の一実施の形態の自動倉庫の棚構造を示し、図１はユニット型ラック部を示す拡大側面図、図２は図１のＹ−Ｙ面を示す正面図、図３は同じくＸ−Ｘ面を示す正面図である。図において、１はビル型ラック、２はユニット型ラックで、ビル型ラック１とユニット型ラック２は、図４に示す走行装置の走行方向と同方向に列状に配設されている。３は各ラックに設けたパレット受け、４は本体フレーム間に延設され、ビル型ラックを連結固定するビル型ラック用上継ぎ、４ａはビル型ラック間を連結するビル型ラック棚用上継ぎ、５はユニット型ラック間を連結するユニット型ラック用上継ぎである。
【００１０】
本実施の形態においては、ビル型ラック１をラック列の偶数列または奇数列に配設して、ビル型ラック用上継ぎ４で前記偶数列または奇数列に配設されたビル型ラック１を連結し、ユニット型ラック２をビル型ラック１が配設されていない奇数列または偶数列に配設し、ユニット型ラック用上継ぎ５で前記ビル型ラック１が配設されていない奇数列または偶数列に配設されたユニット型ラック２を連結する。このように、ビル型ラック用上継ぎ４とユニット型ラック用上継ぎ５は、それぞれ交互の列に設けられており、ビル型ラック用上継ぎ４が配設される列には、ユニット型ラック用上継ぎ５が設けられておらず、ビル型ラック用上継ぎ４は、図１に示すようにユニット型ラック用上継ぎ５と同じ高さに設けることができるため、図７に示す従来例のユニット型ラック用上継ぎ５上にビル型ラック用上継ぎ４を設けたものに比して、ユニット型ラック用上継ぎ５の
高さ分だけビル型ラック用上継ぎの高さを低くすることができ、倉庫の建屋もその分低くすることができ、両上継ぎ４、５の高さを同じ高さにすることができるため、クレーン走行ガイドレール（図示せず）を同一高さに配設することが可能となり、同一仕様のクレーンを使用することができる。
（実施の形態２）
図４、図５は本発明の他の実施の形態の自動倉庫の棚構造を示し、実施の形態２の特徴とする構成は、実施の形態１では、ビル型ラック用上継ぎとユニット型ラック用上継ぎを交互に列を変えて配設したのに対し、実施の形態２では、ユニット型ラックをビル型ラックに対してビル型ラック用上継ぎの幅分だけは連方向に変位して設け、ビル型ラックおよびユニット型ラックをそれぞれ上継ぎにより連結した構成としたものである。
【００１１】
図４は本実施の形態の棚構造を示す平面図で、同図に示すようにビル型ラック１に対してユニット型ラック２は連方向に僅かに変位して設けられている。そして図５の拡大側面図に明示されているように、ユニット型ラック２はビル型ラック１に対して、上継ぎ４の幅分だけ変位して設けられている。そのため、本実施の形態によれば、ビル型ラック１の上継ぎ４とユニット型ラック２の上継ぎ５は上下に重なり合うことがないため、実施の形態１と同様に、従来例のラック構造に比べて、ユニット型ラック用上継ぎ５の高さ分だけ全体の高さを低くすることができ、倉庫の建屋もその分低くすることができるとともに、各ラック列に装備されるクレーンもビル型ラックとユニット型ラックの上継ぎも同じ高さにすることができるため、実施形態１と同様に同じ仕様のクレーンを用いることができ、設備上でも改善された特徴を有する。
（実施の形態３）
図６に示す実施の形態は、実施の形態２のビル型ラックとユニット型ラックからなるものにおいて、ビル型ラック用上継ぎ４を偶数列または奇数列に配設した構成のもので、実施の形態１と同じ特徴を有するものである。
【００１２】
なお、これらの実施の形態において、ビル型ラックの上継ぎをユニット型ラックの上継ぎと同じ高さにしたが、ビル型ラックの上継ぎをユニット型ラックの上継ぎより低い位置に設けた場合でも、ユニット型ラック用クレーンの走行ガイドをビル型ラック用上継ぎに配設することにより、走行ガイドレールを同一高さに配設することができる。
【００１３】
【発明の効果】
本発明によれば、ビル型ラック用上継ぎが配設される列上には、ユニット型ラックの上継ぎが設けられていないため、ビル型ラック用上継ぎはユニット型ラック用上継ぎと同じ高さに設けることができ、倉庫の建屋を従来より低くすることができるとともに、クレーンも一機種のもので対応することができる。
【図面の簡単な説明】
【図１】  本発明の実施の形態１の棚構造におけるユニット型ラック面を示す拡大側面図である。
【図２】  図１のＹ−Ｙ面の正面図である。
【図３】  図１のＸ−Ｘ面の正面図である。
【図４】  本発明の実施の形態２の棚構造を示す平面図である。
【図５】  図４のユニット型ラック面を示す拡大側面図である。
【図６】  本発明の実施の形態３の棚構造のユニット型ラック面を示す拡大側面図である。
【図７】  従来の棚構造におけるユニット型ラック面を示す拡大側面図である。
【符号の説明】
１  ビル型ラック
２  ユニット型ラック
３  パレット受け
４  ビル型ラック用上継ぎ
４ａ  ビル型ラック棚用上継ぎ
５  ユニット型ラック用上継ぎ
【図１】
0003872257.tif 000002
【図２】
0003872257.tif 000003
【図３】
0003872257.tif 000004
【図４】
0003872257.tif 000005
【図５】
0003872257.tif 000006
【図６】
0003872257.tif 000007
【図７】
0003872257.tif 000008